【事件の表示】
　特許第２７０６６９３号「エアゾール組成物」の請求項１ないし５に係る特許に対する特許異議の申立てについて、次のとおり決定する。
【結論】
　訂正を認める。
　特許第２７０６６９３号の請求項１ないし２に係る特許を維持する。
【理由】
１．手続きの経緯
　本件特許第２７０６６９３号発明は、平成１年５月２５日（優先権主張　昭和６３年１２月２７日　日本）に特許出願され、平成９年１０月１７日に特許の設定登録がなされたものである。その後、東洋エアゾール工業株式会社によって特許異議の申立がなされたため、当審において審理のうえ、第１の取消理由を通知したところ、その意見書の提出指定期間内である平成１１年１月１９日に第１回訂正請求がなされ、また、異議申立人からは上申書が提出された。ついで、第２の取消理由を通知したところ、平成１１年７月２１日に、先の訂正請求を取り下げるとともに、第２回訂正請求がなされた。
２．訂正の内容
　本件の第２回訂正請求（以下、単に「訂正請求」という。）は、本件特許明細書を、訂正明細書のとおり、次の事項について訂正することを求めるものである。
〈訂正事項ａ〉特許請求の範囲を次のとおりに訂正する。
「１　ｎ‐ブタンおよび／またはペンタンを３５重量％以上、水を１〜５４重量％または濃度が６０重量％以下のアルコール成分の水溶液を６０重量％以下、界面活性剤を０．０３〜５重量％、有効成分を０．０１〜１０重量％ならびに粉体を１０重量％以下含有し、フッ素化炭化水素を含有しない水性組成物からなり、かつ霧状ないし泡状に噴射したときに破泡によってパチパチと音をたてるフォームを形成するエアゾール組成物。
２　ペンタンを含む原液を含有したものである請求項１記載のエアゾール組成物。」
〈訂正事項ｂ〉発明の詳細な説明中の該当する記載を、訂正事項ａに整合するように訂正する。
３．訂正の適否
ｉ）訂正事項ａの訂正は、訂正前の請求項１における「沸点が−５〜４０℃の脂肪族炭化水素を含有した水性組成物」を、「ｎ−ブタンおよび／またはペンタンを３５重量％以上、水を１〜５４重量％または濃度が６０重量％以下のアルコール成分の水溶液を６０重量％以下、界面活性剤を０．０３〜５重量％、有効成分を０．０１〜１０重量％ならびに粉体を１０重量％以下含有し、フッ素化炭化水素を含有しない水性組成物」に限定するとともに、請求項２〜４を削除することを求めるものであるから、特許請求の範囲の減縮を目的とする訂正に該当する。
　訂正事項ｂは、訂正事項ａの訂正に伴い、発明の詳細な説明の欄の記載を、特許請求の範囲と整合させる訂正であるから、訂正事項ａと一体の訂正である。
ｉｉ）前記訂正における、各成分及びその含有量はいずれも明細書に記載した事項の範囲内のものであり、また、実質上特許請求の範囲を拡張し、または変更するものでもない。
ｉｉｉ）そこで、訂正後における請求項１及び２の発明（以下、「本件発明」、という。）が、特許出願の際独立して特許を受けることができるものであるか否かについて以下に検討する。
ｉｉｉ−１）本件の特許異議申立において、申立人は、甲第１〜５号証を提出して、本件の訂正前の請求項１〜４の発明は甲第１号証に記載された発明に該当し、また、訂正前の請求項１〜５の発明は、甲第１〜５号証に記載された発明に基づいて当業者が容易に発明をすることができたものであるから、本件特許は、特許法２９条１項及び２項の規定に違反してなされたものであって、取り消されるべきである、と主張した。
ｉｉｉ−２）当審においては、第１の取消理由として、刊行物１〜３（それぞれ、甲第１号証、甲第５号証、甲第２号証に相当）を提示し、本件の訂正前の請求項１〜３の発明は、刊行物１に記載された発明に該当し、また、刊行物１及び２に記載された発明に基づいて当業者が容易に発明をすることができたものであるから、本件特許は、特許法２９条１項及び２項の規定に違反してなされたものであって、取り消されるべきである、という趣旨の取消理由を通知した。
ｉｉｉ−３）各刊行物には次のとおりの事項が記載されている。
甲第１号証（特開昭６２−５４７８４号公報；刊行物１）には、
「１　エタノールおよび／またはインプロピルアルコール３〜６０重量％水溶液１００重量部に対して界面活性剤０．０１〜１０重量部および／または粉末０．１〜５０重量部と、有効成分０．１〜５０重量部とを添加してなる原液２〜３０重量部とジクロロテトラフルオロエタンを主成分とする噴射剤７０〜９８重量部とからなるエアゾール組成物。
２　泡状または霧状に噴射したときに破泡によってパチパチと音をたてるフォームを形成する特許請求の範囲第１項記載のエアゾール組成物。」が記載され（特許請求の範囲）、噴射剤としては、沸点が−５℃〜５℃の範囲にあるものであって、ジクロロテトラフルオロエタン（フロン１１４）が好ましいが、用途に応じて可燃性の液化石油ガス、ジメチルエーテル、Ｎ２、ＣＯ２、空気、ジクロロジフルオロメタン等を混合してもよいとし、その具体例として、フロン１１４　１００〜７５部および２０℃における蒸気圧が０．８〜８．０ｋｇ／ｃｍである液化石油ガスＯ〜２５部からなる噴射剤等が示されている（３頁左下欄５行〜右下欄３行）。また、実施例２には、フロン１１４８０．０部と純度９５％以上のノルマルブタン１０．０部を噴射剤として調製したアフターシェーブローション組成物の物性について、乳濁液を形成して均一に分散し、液だれがなく、破泡音がわずかにあり、破泡後の指触では少し湿った感じがすること、が示されている。
甲第２号証（「ＬＰガス・データ必携」（１９６４年７月２０日発行）４９頁；刊行物３）の、炭化水素の蒸気圧と温度の関係を示す図７には、２０℃におけるｎ−ペンタン、ｉ−ペンタン、ｎ−ブタン、及びｉ−ブタンの各蒸気圧が、約０．５６、０．８、２．２、及び３．２ｋｇ／ｃｍ２、また、２５℃においては、それぞれ、約０．７、１．０、２．５、及び３．６ｋｇ／ｃｍ２であることが示されている。
甲第３号証（特公昭４５−３２０５３号公報）には、「安定な乳濁液を生ぜしめるに充分な量の水分散性乳化剤の存在下に水性連続相中に分散相として乳化せしめた、２１℃で０．７〜２．１Ｋｇ／ｃｍ２・ゲージの蒸気圧を有する７５〜９５重量％のクロロフルオロカーボン推進剤からなる、せん断に服せしめるとパチパチ音をたてるフォームを圧力の開放によって形成する加圧組成物。」が記載され（特許請求の範囲）、２１℃で０．７〜２．１Ｋｇ／ｃｍ２・ゲージより低い蒸気圧では、組成物の効果的配剤が著しく低下し、他方、０．７〜２．１Ｋｇ／ｃｍ２・ゲージより高い蒸気圧では、せん断に服させるときにパチパチという音を示さない旨記載されている（２頁３欄８〜１８行）。
甲第４号証（特開昭６３−１０８０９１号公報）には、「クロルフルオルカーボンを含み、せん断に服せしめるとパチパチ音を発するエアゾール組成物において、更にポリオキシエチレンアルキルフェニルエーテルを配合しその使用感を向上したことを特徴とするエアゾール組成物。」が記載され（特許請求の範囲）、クロルフルオルカーボンとしては、２５℃で１〜３ｋｇ／ｃｍ２（ゲージ圧）を持つものであればいかなる化合物でも使用することができる旨記載されている（２頁左下欄９〜１３行）。
甲第５号証（特開昭６１−２７８５号公報；刊行物２）には、「重量％で分子ふるい約１６〜約３４％、表面活性剤約１．６〜約３．４％、ビヒクル約２２．４〜約４７．６％、液化ガス噴射剤約１５〜約６０％からなり、ビヒクルがアルキレングリコール、ポリアルキレングリコール、植物油及びこれらの混合物からなる群から選ばれ、液化ガス噴射剤が液化炭化水素及び弗素化炭化水素からなる群から選ばれるエロゾル容器から噴出されたときに強められた長く続く聴覚的な効果を生ずるエロゾルフオーム組成物。」が記載され（特許請求の範囲）、４頁左下欄１１行〜右下欄第４行には、当該発明のパチパチ音を出すフォーム組成物中の噴射剤としては広範な液化ガスが使用でき、例えば、オクタフルオロシクロブタン（ＦＲＥＯＮＣ一３１８）等のフッ素化炭化水素、あるいは、プロパン、ブタン、イソブタン、シクロブタン及びペンタン等の液化された炭化水素が挙げられるが、とくに好ましいのは高い程度のパチパチ音のフォーム製品を生ずるイソブタンであることが、また、３頁左下欄５〜最下行には、当該発明のエロゾル組成物は、容器から放出されたときにフォームを形成するとともに、組成物中のゼオライト（分子ふるい）の孔中に捕らえられている液化ガス噴射剤がゆっくりと時間をかけて放出されて泡を形成し、フォームの表面を破壊してパチパチ音や、ピシッ（ピュー）という音を発生することが、さらに、実施例４には、脱水ナトリウムゼオライトＡ　２８．０％、ノノキシノル６フォスフェード　２．８％、ポリエチレングリコール２００　３９．２％、ブタン　３０％からなる組成物をエロゾル容器から放出すると、強められた長続きする聴覚的な効果を有するパチパチ音のでるフォームを生じたこと、が示されている。
ｉｉｉ−４）そこで、訂正後の本件の請求項１及び２の発明（「本件発明」という。）と、甲各号証刊行物の記載事項とを対比したが、いずれの刊行物にも、「ｎ‐ブタンおよび／またはペンタンを３５重量％以上、水を１〜５４重量％または濃度が６０重量％以下のアルコール成分の水溶液を６０重量％以下、界面活性剤を０．０３〜５重量％、有効成分を０．０１〜１０重量％ならびに粉体を１０重量％以下含有し、フッ素化炭化水素を含有しない水性組成物」であって、霧状ないし泡状に噴射したときに破泡によってパチパチと音をたてるフォームを形成するようなエアゾール組成物は記載されていないことは明らかである。
　また、上記構成が甲各号証に示唆されているとし得ないことは、次のとおりである。
　すなわち、甲第１号証には、主噴射剤フロン１１４（フッ素化炭化水素）が、破泡音を発するという特定の物性を有する組成物を得るために、必須として選定されたものとして記載されているから、このような必須の主噴射剤を使用しないことの示唆が、同証に存在しないことは明らかである。したがって、また、同証において任意に混合できるとした噴射剤（例えば、ノルマルブタンなどの液化石油ガス）を、フロン１１４に代えて主噴射剤とすることの示唆が、同証になされているものとすることもできない。
　甲第３号証及び４号証には、噴射剤としてクロロフルオロカーボン（クロルフルオルカーボン）が記載されるだけで、ｎ‐ブタンあるいはペンタンについての示唆はない。
　異議申立人は、甲第１号証、３号証あるいは４号証に記載されたフッ素化炭化水素噴射剤の沸点あるいは蒸気圧範囲を根拠に、フッ素化炭化水素以外の噴射剤の中から、当該沸点あるいは蒸気圧範囲にあるｎ−ブタンあるいはペンタンを選定することは容易である旨主張するが、蒸気圧あるいは沸点の近似性と破泡音発生能力が、必ずしもよく対応するわけではないことは特許権者の提出した実験成績証明書によって認められるから、蒸気圧あるいは沸点が近似することのみをもって、ｎ‐ブタンあるいはペンタンを選定することが容易であるものとすることはできない。
　甲第５号証のエロゾルフォーム組成物は、アルキレングリコール、ポリアルキレングリコール、植物油あるいはこれらの混合物をビヒクルとする非水性の組成物であって、容器からの放出時に、組成物中のゼオライト（分子ふるい）の孔中に捕らえられている液化ガス噴射剤がゆっくりと時間をかけて放出されて泡を形成し、フォームの表面を破壊して音を発生するというものであるから、水性組成物の噴射時に発生する泡を破泡させて音を発生させるという本件発明のものとは、組成、及び音の発生機構が相違する音。したがって、同号証の記載が、音発生機構の異なる本件発明の水性組成物を教示するものとは認められない。
　甲第２号証は、炭化水素の蒸気圧と温度の関係が示されるに過ぎない。
　そして、本件発明は、エアゾール組成物を上記のとおりの組成とした結果、分散性、フォームの付着性、破泡音、乾燥性、及び透明感に優れるエアゾール組成物を提供し得たものであることが特許明細書の記載から認められるから、結局、本件発明は、甲各号証刊行物に記載された発明ではないし、それらの記載された発明に基づいて当業者が容易に発明をすることができたものでもない。
　したがって、上記各刊行物の存在に拘わらず、訂正後の本件発明は、特許出願時に独立して特許を受けることができるものである。
ｉｖ）以上のとおり、上記訂正は、特許法１２０条の４　２項の規定を満たし、また、同３項で準用する同１２６条２項から４項の規定を満たすものであるから、適法なものとして認めることとする。
４．特許異議の申立て
　特許異議申立の理由は、上記〈３．ｉｉｉ−１）〉のとおりであり、訂正後の本件発明が、当該理由によって取り消され得ないことは、〈３．ｉｉｉ−４〉に記載のとおりである。
　異議申立の対象である訂正前の請求項２〜４は削除された。
５．第２の取消理由
　当審において通知した第２の取消理由は、（訂正前の）本件明細書中の実施例及び比較例の内容によれば、特許請求の範囲に記載の構成によって、必ずしも所期の効果が達成されていないから、特許請求の範囲に発明の構成に欠くことのできない事項のみが記載されているものとは認め難く、したがって、本件特許は特許法３６条４項の規定に違反してなされたものであって、取り消されるべき、というものである。
　しかし、当該明細書の記載不備は、上記訂正により解消した。
６．むすび
　以上のとおり、上記訂正は適法なものとして請求のとおりに認められ、また、訂正された本件の請求項１及び２の発明に係る特許は、特許異議申立ての理由、及び当審において通知した取消理由によって、取り消すことができない。
　また、他に同発明に係る特許を取り消すべき理由を発見しない。
　よって、結論のとおり決定する。
【異議決定日】
平成１１年９月２１日（１９９９．９．２１）
【訂正の要旨】
訂正の要旨
〈訂正事項ａ〉特許請求の範囲を次のとおりに訂正する。
「１　ｎ−ブタンおよび／またはペンタンを３５重量％以上、水を１〜５４重量％または濃度が６０重量％以下のアルコール成分の水溶液を６０重量％以下、界面活性剤を０．０３〜５重量％、有効成分を０．０１〜１０重量％ならびに粉体を１０重量％以下含有し、フッ素化炭化水素を含有しない水性組成物からなり、かつ霧状ないし泡状に噴射したときに破泡によってパチパチと音をたてるフォームを形成するエアゾール組成物。
２　ペンタンを含む原液を含有したものである請求項１記載のエアゾール組成物。」
〈訂正事項ｂ〉発明の詳細な説明中の該当する記載を、訂正事項ａに整合するように訂正する。
（５４）【発明の名称】
エアゾール組成物
（５７）【特許請求の範囲】
　１　ｎ−ブタンおよび／またはペンタンを３５重量％以上含有し、フッ素化炭化水素を含有しない水性組成物からなり、かつ霧状ないし泡状に噴射したときに破泡によってパチパチと音をたてるフォームを形成するエアゾール組成物。
　２　ペンタンを含む原液を含有したものである請求項１記載のエアゾール組成物。
【発明の詳細な説明】
［産業上の利用分野］
　本発明はエアゾール組成物に関する。さらに詳しくは、霧状ないし泡状に噴射したときに破泡によってパチパチと音をたてるフォームを形成するエアゾール組成物に関する。
［従来の技術］
　従来からエアゾール製品としては、ヘアースプレーなどのように有効成分を霧状に噴射するもの、シェービングクリームなどのような有効成分をフォームとして噴射するものなどがあるが、近年たとえば、特公昭４５−３２０５３号公報、特開昭６２−５４７８４号公報などに記載されているようにエアゾール製品から噴射されたフォームを使用者が手で皮層上に擦ったときにパチパチという音を発するエアゾール組成物が開発されている。
　しかしながら、前記特公昭４５−３２０５３号公報に開示された組成物は、化粧上活性な成分中に存在する水に不溶の油成分と水を振盪せしめることにより乳濁液をうるものであり、長時間使用しないばあい、水成分と油成分とが分離するので、水成分と油成分を均一に分散せしめるために使用の都度強力な振盪または長時間の振盪をしなければならないばかりか多量の水を使用するために噴射されたフォームを使用者が手で皮膚上に擦ったばあい、皮膚上での乾燥が遅いという問題がある。
　また、前記特開昭６２−５４７８４号公報に開示された組成物は、水に不溶の油性の有効成分などが容易に水性成分と均一に分散し、しかも皮膚上での乾燥がはやいという利点を有するものであるが、前記特公昭４５−３２０５３号公報に開示された組成物と同様、噴射剤としてクロロフルオロカーボンが主成分として使用されているため、高価となり、しかも環境破壊のおそれがあるなどの欠点があった。
［発明が解決しようとする課題］
　そこで本発明者らは、前記従来技術に鑑みて鋭意研究を重ねた結果、水に不溶の油性の有効成分などが容易に水性成分と均一に分散し、しかも速乾性にすぐれるとともに環境破壊などの問題がまったく生じない成分からなる霧状ないし泡状に噴射したときに破泡によってパチパチと音をたてるエアゾール組成物を初めて見出し、本発明を完成するにいたった。
［課題を解決するための手段］
　すなわち、本発明はｎ−ブタンおよび／またはペンタンを３５重量％以上含有し、フッ素化炭化水素を含有しない水性組成物からなり、かつ霧状ないし泡状に噴射したときに破泡によってパチパチと音をたてるフォームを形成するエアゾール組成物に関する。
［作用および実施例］
　本発明のエアゾール組成物は、ｎ−ブタンおよび／またはペンタンを３５重量％以上含有し、フッ素化炭化水素を含有しない水性組成物からなるものであるが、かかるエアゾール組成物は主として原液および噴射剤からなる水性組成物で構成される。
　前記ｎ−ブタンおよび／またはペンタンは、噴射剤においてはエアゾール組成物を噴射したときに破泡によってパチパチと音をたてる好適なフォームを形成するというすぐれた性質を有するとともに、原液においては形成されたフォームを迅速に乾燥するのに有効な速乾性を付与する成分として作用する。
　したがって、前記ｎ−ブタンおよび／またはペンタンは、噴射剤としては従来のクロロフルオロカーボンのごとき、環境破壊を生じることがなく、またプロパン、ｉ−ブタンを用いたばあいよりも破泡によってパチパチと音をたてる好適なフォームを形成し、また速乾性を付与する成分として作用するものであるから、従来より使用されている速乾性を付与する成分を配合しなくてもよく、繁雑なかかる成分の配合工程が不要となるとともにコストの低減を図りうるという従来技術からでは予期されないまったく新しい作用を発揮するものである。
　なお、従来技術において、二重容器を用いた後発泡性ゲルといわれる製品に後発泡剤としてｎ−ペンタンを５％（重量％、以下同様）程度使用した例はあるが（特公昭４９−３４９１２号公報）、かかる製品を用いては霧状ないし泡状に噴射することはできず、しかもゲル状に噴射したときに破泡によってパチパチと音をたてるフォームが形成されず、しかもかかるフォームが速乾性を有するものではないため、かかる技術からではとてもや本発明のエアゾール組成物を見出すことができるものではない。
　ところが、本発明のごとく、ｎ−ブタンおよび／またはペンタンを３５重量％以上使用したばあいには、ジクロロテトラフルオロエタンを使用したばあいのようにすぐれた内容物および泡の状態ならびにすぐれた透明感がえられ、視覚的にも清涼感が付与されうるのである。とくにペンタンを使用した場合には非常に透明感があるものがえられるのである。
　前記ｎ−ブタン（沸点：−０．５℃）およびペンタンについて、該ペンタンの具体例としては、たとえばｉ−ペンタン（沸点：２７．９℃）、ｎ−ペンタン（沸点：３６．１℃）、ネオペンタン（沸点：９．５℃）などがあげられ、これらは単独でまたは２種以上を混合して用いられる。とくにｉ−ペンタンは汎用化粧品原料集に、またｎ−ブタンは化粧品原料規準に記載されているものであり、人体用品に使用するばあい、安全性の点で好ましいものである。
　前記ペンタンは、噴射剤において主成分として含まれるほか、ばあいによっては原液にも含まれるものである。
　前記ペンタンは、噴射剤においてはエアゾール組成物を噴射したときに破泡によってパチパチと音をたてる好適なフォームを形成するというすぐれた性質を有する圧力調整剤として作用する。また、原液とペンタンを主成分とする噴射剤との分散性に問題があるばあいなどには、あからじめペンタンと原液を均一に分散させておくとこの混合液は容易に分散可能である。
　前記原液に含まれるペンタンおよび噴射剤に含まれるｎ−ブタンおよび／またはペンタンの合計量はエアゾール組成物中１０〜９０部（重量部、以下同様）、好ましくは１５〜８５部、とくに好ましくは２０〜８０部である。かかる合計量が１０部未満であるばあい、破泡が遅くなったり、破泡してもパチパチという音がたたなくなる傾向があり、また９０部をこえるばあい、有効成分が少なくなりすぎ、原液とｎ−ブタンおよび／またはペンタンとの分散性が小さくなる傾向がある。
　なお、前記噴射剤としてペンタンを単独で用いたばあいには、蒸気圧が低すぎ、充分な噴射状態がえられなくなるため、ペンタンの一部は、たとえばｉ−ブタン、ｎ−ブタン、プロパン、ジメチルエーテルなどの液化ガスや、Ｎ２、ＣＯ２、Ｎ２０などの圧縮ガスで置換されているのが好ましい。これらの噴射剤の中では、ｉ−ブタン、ｎ−ブタンが環境破壊のおそれがなく、しかも霧状ないし泡状に噴射したときに破泡によってパチパチと音をたてるフォームをとくに好ましく形成するのでとくに望ましいものである。
　前記ペンタンと置換される他の噴射剤の配合量は、かかる液化ガスの種類によって異なるので一概には決定することはできないが、ペンタンに対して５〜９５％、好ましくは１０〜９０％、とくに好ましくは２０〜８０％である。前記他の噴射剤の配合量は５％未満であるばあい、蒸気圧が低すぎて充分な噴射状態がえられなくなる傾向があり、また９５％をこえるばあい、蒸気圧が高くなる傾向がある。また、ｎ−ブタンについてはｎ−ブタン単独（１００％）でも何らの問題がなく使用しうる。
　また、圧縮ガスを用いるばあいには、製品圧力を３５℃で８ｋｇ／ｃｍ２以下とすることが好ましい。
　本発明のエアゾール組成物に用いられる前記原液は、有効成分を必須成分とし、必要に応じてペンタン、アルコール成分、界面活性剤、粉体などを含有し、精製水によって調製されたものである。
　前記アルコール成分としては、たとえばエタノール、イソプロピルアルコールなどのアルコールがあげられ、かかるアルコール成分は水溶性成分および水に不溶の種々の有機化合物に対して可溶性を示すので、これら両成分の可溶化剤または分散剤として用いられるものである。これらエタノールおよびイソプロピルアルコールはその沸点は低く気化しやすいので、速乾性を有するとか清涼感をうるための成分としても有用であり、さらにはエタノールおよびイソプロピルアルコールは破泡性にすぐれており、破泡音を大きくする成分としても有用である。
　前記アルコール成分は通常水溶液として用いられ、かかるアルコール成分の水溶液の濃度は６０％以下、好ましくは３〜６０％、さらに好ましくは５〜４０％、とくに好ましくは５〜３０％であるのが望ましい。なお、該濃度は３％未満であるばあい、とくに原液中にペンタンが配合されていないばあいには、水に不溶の油性の有効成分が水性成分と均一に分散しにくくなり、また乾燥が遅くなる傾向があるので、３％以上であるのが望ましい。また６０％をこえるとｎ−ブタンおよび／またはペンタンとの相溶性が大きくなりすぎて噴射したときに泡立ちが少なくなり、パチパチという音がたたなくなる傾向がある。
　前記アルコール成分の水溶液の配合量は、エアゾール組成物中に６０％以下、好ましくは５０％以下、さらに好ましくは４０％以下、とくに好ましくは３５％以下含有されるように調整されるのが望ましい。かかる配合量は６０％よりも多いばあいには、破泡が遅くなったり、パチパチという音がたたなくなる傾向がある。なお、とくに原液中にペンタンが配合されていないばあいであっても、水に不溶の油性の有効成分と均一に分散するようにし、またえられたエアゾール組成物の分散性を向上せしめるためには前記アルコール成分の水溶液は原液中に２％以上、好ましくは５％以上、さらに好ましくは１０％、とくに好ましくは１２％以上含有されていることが望ましい。
　前記界面活性剤は、原液とｎ−ブタンおよび／またはペンタン、およびペンタンを含む原液とｎ−ブタンおよび／またはペンタンとを均一に分散させるための成分であり、かかる界面活性剤の具体例としては、たとえばカルボン酸塩、スルホン酸塩、硫酸エステル塩などのアニオン界面活性剤；脂肪族アミン塩、脂肪族４級アンモニウム塩、ベンザルコニウム塩、塩化ベンゼトニウム、ピリジニウム塩、イミダゾリニウム塩などのカチオン界面活性剤；ポリオキシエチレンアルキルエーテル、ポリオキシエチレンポリオキシプロピレンアルキルエーテル、単一鎖長ポリオキシエチレンアルキルエーテル、ポリオキシエチレン２級アルコールエーテル、ポリオキシエチレンアルキルフェニルエーテル、ポリオキシエチレンステロールエーテル、ポリオキシエチレンラノリン誘導体、ポリオキシエチレンポリオキシプロピレンブロックポリマー、ポリオキシエチレンポリオキシプロピレンアルキルエーテル、ポリオキシエチレングリセリン脂肪族エステル、ポリオキシエチレンヒマシ油誘導体および硬化ヒマシ油、ポリオキシエチレンソルビタン脂肪酸エステル、ポリオキシエチレンソルビトール脂肪酸エステルなどのノニオン界面活性剤などがあげられるが、分散が可能なものであれば、他の界面活性剤を用いてもよい。これらの界面活性剤のなかでは、とくにノニオン界面活性剤は、エアゾール用金属製容器との腐蝕性などの面から好適に使用しうるものである。
　前記界面活性剤は、エアゾール組成物中に０．０３〜５％、好ましくは０．０５〜４％、とくに好ましくは０．１〜３％含有されるように調整されるのが望ましい。かかる配合量が０．０３％よりも少ないばあいには、原液とｎ−ブタンおよび／またはペンタン、およびペンタンを含む原液とｎ−ブタンおよび／またはペンタンとを均一に分散させるためには強力な振盪または長時間の振盪が必要となり、また５％をこえるばあいには、えられたエアゾール組成物のフォームがべたつきを生じ、皮膚に不快感を与える傾向がある。
　前記粉体は賦形効果を付与する成分として用いられ、かかる粉体としては本発明のエアゾール組成物中に溶解しにくい成分であればとくに限定はないが、たとえば酸化マグネシウム、酸化亜鉛、酸化チタン、軽質（沈降）炭酸カルシウム、重質炭酸マグネシウム、軽質炭酸マグネシウム、重質炭酸カルシウム、黄酸化鉄、ベンガラ、黒酸化鉄、グンジョウ、酸化クロム、無水ケイ酸、ケイ酸マグネシウム、タルク、カオリン、ベントナイト、マイカ、雲母チタン、オキシ塩化ビスマス、酸化ジルコニウム、水酸化クロム、カラミン、ナイロンパウダー、ポリエチレンパウダー、ポリスチレンパウダー、アクリル樹脂パウダー、セルロースパウダー、たとえば酸化チタンなどの無機顔料とナイロン１２などの有機高分子パウダーとのハイブリッドファインパウダーなどがあげられ、これらの粉体は単独でまたは２種以上を混合して用いられる。前記粉体のなかでは、たとえばタルク、酸化チタン、酸化亜鉛、軽質（沈降）炭酸カルシウム、重質炭酸カルシウム、軽質炭酸マグネシウム、重質炭酸マグネシウムなどは、エアゾール組成物に配合し、振盪して水成分と油成分の乳濁液をえたばあいには、界面活性剤と同等の効果を呈するか、または界面活性剤を配合することにより奏される効果を高め、ばあいによっては界面活性剤を用いなくても簡単な振盪で乳濁液をうることができるので、とくに好ましいものである。かかる粉体の大きさは、エアゾール用容器から噴射させる際に噴射口での詰まりを防止するために１００μｍ以下、好ましくは２０〜５０μｍとするのが望ましい。かかる粉体の配合量はエアゾール組成物液中に１０％以下、好ましくは８％以下、とくに好ましくは５％以下含有されるように調整されるのが望ましい。該粉体の配合量は１０％をこえるばあい、えられるエアゾール組成物を皮膚などに噴射して乾燥したあとに、皮膚上に粉体がしみとして残ることがある。また、前記粉体の配合量は、水成分と油成分とを振盪せしめることにより均一な乳濁液をうるためには、エアゾール組成物中に０．０３％以上、好ましくは０．０５％以上、さらに好ましくは０．１％以上含有されるように調整するのが望ましい。
　前記有効成分は、本発明のエアゾール組成物の用途に応じて適宜選択して使用されるため、かかる有効成分の種類にはとくに限定はないが、かかる有効成分の具体例としては、たとえば制汗有効成分、ヘアトニック有効成分、アフターシェーブローション有効成分、ハンドローション有効成分、アストリンゼント有効成分、アクネ用ローション有効成分、サンタンローションエアゾール有効成分、ボディーローション有効成分、忌避剤有効成分、かゆみ止め有効成分、消炎鎮痛剤有効成分、殺菌剤有効成分、養毛剤有効成分、水虫薬有効成分、クレンジングローション有効成分、メーキャップベース有効成分、香料などがあげられる。該有効成分の配合量はエアゾール組成物中に０．０１〜１０％、好ましくは０．０５〜８％とくに好ましくは０．１〜６％含有されるように調整される。かかる有効成分の配合量は０．０１％未満であるばあい、有効成分を配合することによる効果が充分には発揮されなくなる傾向があり、また１０％をこえるばあい、有効成分の分散性が低下する傾向がある。
　前記したごとく、本発明に用いられる原液は有効成分を必須成分とし、必要に応じてペンタン、アルコール成分、界面活性剤、粉体などに残部水を配合してなるものであるが、本発明においては、必要に応じてたとえばプロピレングリコール、エチレングリコール、ジエチレングリコール、トリエチレングリコール、グリセリン、１，３−ブチレングリコールなどの多価アルコール；アセトン、メチルエチルケトン、メチルイソブチルケトンなどのケトン類；ジエチルエーテル、エチレングリコールモノエチルエーテルなどのエーテル類；ミリスチン酸イソプロピル、パルミチン酸イソプロピル、ステアリン酸ブチル、ラウリン酸ヘキシル、ミリスチン酸ミリスチル、ミリスチン酸オクチルドデシルなどの脂肪酸エステル；スクワラン、流動パラフィンなどのの炭化水素油やホホバ油、オリーブ油、アボカド油などの天然動植物油、増粘剤、色素などを添加して用いてもよい。
　前記原液に配合される水は、パチパチと音をたてるフォームを形成するための成分であり、かかる水としては、通常精製水が使用される。なお、原液にアルコール成分が配合されるばあいには、通常該アルコール成分とともにアルコール成分の水溶液として使用され、またアルコール成分が配合されないばあいには、水単独で配合される。かかる水の配合量はエアゾール組成物中に１〜５４％、好ましくは２〜４５％、とくに好ましくは４〜３６％含有されるように調整される。かかる配合量は１％未満であるばあい、パチパチという音がしなくなり、しかもエアゾール組成物としての分散性がわるくなる傾向があり、また５４％をこえるばあい、パチパチという音がしなくなり、しかも乾燥性がわるくなる傾向がある。
　ところで、エアゾール製品から噴射された泡がパチパチと音がするのは、泡にとり込まれた噴射剤の急速な蒸発による泡の破泡のためであるが、手で噴射された泡をつぶすことによってさらに大きな音が出る。
　つぎに本発明のエアゾール組成物を実施例によってさらに詳細に説明するが、本発明はかかる実施例のみに限定されるものではない。
実施例１〜１３および比較例１〜９（ボディコロン）
　第１表に示す組成からなる原液と噴射剤を混合してエアゾール組成物をえた。えられたエアゾール組成物１２０ｇをエアゾール用耐圧容器（満注量：３００ｍｌ）に充填し、エアゾール用バルブおよびボタンを取り付けてボディコロン用エアゾールを作製した。
　えられたエアゾール組成物の物性として分散性、フォームの付着性、乾燥性、破泡音および透明感について下記の方法で調べた。その結果を第１表に示す。
（分散性）
　エアゾール組成物を約５０ｃｍの幅で２０回振盪したときのエアゾール組成物の分散性を調べ、以下の判定基準によって評価した。
　　　　　　　　　（判定基準）
　○：乳濁液を形成し均一に分散したもの
　×：２相に分離し、均一に分散しなかったもの
（フォームの付着性）
　エアゾール組成物を腕の約３ｃｍ四方に噴射し、液だれの有無を観察し、エアゾール組成物のフォームの付着性を調べ、以下の判定基準によって評価した。
　　　　　　　　　（判定基準）
　　○：液だれなし
　　△：わずかに液だれあり
　　×：液だれあり
（破泡音）
　エアゾール組成物を、腕の約３ｃｍ四方に噴射し、手で噴射された泡をつぶすことにより破泡音の発生の有無を調べ、以下の判定基準によって評価した。
　　　　　　　　（判定基準）
　　○：破泡音あり
　　△：破泡音わずかにあり
　　×：破泡音なし
（乾燥性）
　エアゾール組成物を腕の約３ｃｍ四方に噴射し、手で噴射された泡をつぶしたあと１分間放置し、腕の表面での乾燥性を観察し、以下の判定基準によって評価した。
　　　　　　　　　（判定基準）
　　○：指触でさらっとした感じ
　　△：指触で少し湿った感じ
　　×：指触でぬるぬるとした感じ
（透明感）
　エアゾール組成物を噴射したときの泡の透明感を調べ、以下の判定基準によって評価した。
　　　　　　　　　（判定基準）
　　◎：非常に透明感あり
　　○：透明感あり
　　△：わずかに透明感あり
　　×：透明感なし（乳白色状）
実施例１４〜１５
　第２表に示す組成からなる原液と噴射剤とを混合して各々用途別にエアゾール組成物をえた。えられたエアゾール組成物１２０ｇをエアゾール用耐圧容器（満注量：３００ｍｌ）に充填し、エアゾール用バルブおよびボタンを取付けて各種用途別にエアゾールを作製した。
　えられたエアゾール組成物の物性として分散性、フォームの付着性、破泡音、乾燥性および透明感を実施例１〜１３と同様にして測定した。その結果を第２表に示す。
［発明の効果］
　本発明のエアゾール組成物は環境破壊を生起するクロロフルオロカーボンを使用しなくてもよいものであり、ｎ−ブタンおよび／またはペンタンを３５重量％以上含有した水性組成物からなるので、気化しやすく速乾性を示し、べとつき感がなく、かつ液だれがないので、人体の垂直面にも使用することができ、しかも使用時に快感な清涼感を皮膚に付与しうるという効果を奏する。
　また、従来のエアゾール組成物の噴射状態にはない透明感がえられるので、視覚的にも清涼感を付与しうるという効果を奏する。